(57)【要約】【課題】既設枠に室内側から容易に取り付けることが可能な改装サッシユニット等を提供する。【解決手段】既設上枠と改装上枠との間に介在される上枠接合部材と、既設下枠と改装下枠との間に介在される下枠接合部材と、を有し、前記下枠接合部材が取り付けられた改装枠は、前記上枠接合部材が取り付けられた前記既設上枠と前記既設下枠との間にて、上部が室内側から室外側に移動されたときに対向する前記改装上枠と前記上枠接合部材とが固定されている。【選択図】図１
2011196101.tif 000002
【特許請求の範囲】
【請求項１】
既設上枠、既設下枠、既設縦枠が枠組みされ、室内外を連通する開口に設けられている、既設サッシが有する既設枠の内周側に設けられる改装サッシユニットであって、
改装上枠、改装下枠、改装縦枠が枠組みされた改装枠を有し、新たに設けられる改装サッシと、
前記既設上枠と前記改装上枠との間に介在される上枠接合部材と、
前記既設下枠と前記改装下枠との間に介在される下枠接合部材と、
を有し、
前記下枠接合部材が取り付けられた前記改装枠は、前記上枠接合部材が取り付けられた前記既設上枠と前記既設下枠との間にて、上部が室内側から室外側に移動されたときに対向する前記改装上枠と前記上枠接合部材とが固定されていることを特徴とする改装サッシユニット。
【請求項２】
請求項１に記載の改装サッシユニットであって、
前記上枠接合部材は、前記既設上枠の下方を覆い平坦な下面をなして前記改装上枠が固定される上枠固定板部と、前記上枠固定板部の室外側の端部側にて上方に突出させて設けられ前記既設上枠に室内側から当接される既設上枠当接部と、前記上枠固定板部の室外側の縁から下方に突出させて設けられ前記改装上枠が室内側から当接される改装上枠当接部と、を有することを特徴とする改装サッシユニット。
【請求項３】
請求項１または請求項２に記載の改装サッシユニットであって、
前記既設上枠は、見込み方向に間隔を隔てて一対のレールを有しており、
平坦な下面をなし、室外側の前記レールの室外側及び室内側の前記レールの室内側に配置され上面が前記一対のレールの下縁に当接される第１レール当接部及び第２レール当接部と、前記第１レール当接部と前記第２レール当接部との間を繋ぎ上方に窪む連結部と、を備えた固定部材を有し、
前記連結部が前記レールに固定された前記第１レール当接部及び前記第２レール当接部に前記上枠接合部材が固定され、
前記上枠接合部材に前記改装上枠が固定されることを特徴とする改装サッシユニット。
【請求項４】
既設上枠、既設下枠、既設縦枠が枠組みされ、室内外を連通する開口に設けられている、既設サッシが有する既設枠の内周側に設けられる改装サッシユニットの取付方法であって、
前記既設上枠に、前記既設上枠と前記改装上枠との間に介在される上枠接合部材を取り付ける既設枠側接合部材取付工程と、
改装上枠、改装下枠、改装縦枠が枠組みされた改装枠を有し、新たに設けられる改装サッシの、
前記改装下枠に、前記既設下枠と前記改装下枠との間に介在される下枠接合部材を取り付ける改装枠側接合部材取付工程と、
前記下枠接合部材が取り付けられた前記改装枠を、前記上枠接合部材が取り付けられた前記既設上枠と前記既設下枠との間にて、上部を室内側から室外側に移動させて前記既設枠の内側に配置する改装枠配置工程と、
を有することを特徴とする改装サッシユニットの取付方法。
【発明の詳細な説明】
【技術分野】
【０００１】
本発明は、既設サッシの既設枠内周側に設けられる改装サッシユニット及び改装ユニットの取付方法に関する。
【背景技術】
【０００２】
改装サッシユニットとしては、建物の開口部に設けられた既設サッシの既設枠の内周側にベース材を介して取り付けられるリフォームサッシが知られている（例えば、特許文献１参照）。  
このようなリフォームサッシは、既設枠が有する上枠、下枠、左右の縦枠にベース材を取り付けることにより新設するリフォームサッシが固定される取付壁を形成し、リフォームサッシが有する、枠組みされた枠体を取付壁にビスにて固定している。このとき、リフォームサッシの上下枠及び縦枠に設けられ外方に突出する釘打ちフィンをベース材に設けられて開口の中央側（内方）に突出された取付壁に室外側から当接させてネジにて固定している。
【先行技術文献】
【特許文献】
【０００３】
【特許文献１】特開２００８−２２３２８６号公報
【発明の概要】
【発明が解決しようとする課題】
【０００４】
上記のようなリフォームサッシは、リフォームサッシの上下枠及び縦枠に設けられ外方に突出する釘打ちフィンを、ベース材に設けられて開口の中央側（内方）に突出された取付壁に当接させてネジ止めするので、ベース材に囲まれた空間よりリフォームサッシの上下枠及び縦枠が枠組みされた枠体の外形寸法の方が大きい。このため、リフォームサッシを既設サッシに取り付ける作業を室外側から行わなければならない。このようなリフォームサッシを高層建物の既設サッシに室外側から取り付ける場合には、リフォームサッシをクレーンで吊り上げたり、または、足場を組む必要があり、作業が大がかりになるとともに施工コストが高騰するという課題がある。
【０００５】
本発明は、かかる課題に鑑みてなされたものであり、その目的とするところは、既設枠に室内側から容易に取り付けることが可能な改装サッシユニット及び改装ユニットの取付方法を提供することにある。
【課題を解決するための手段】
【０００６】
かかる目的を達成するために本発明の改装サッシユニットは、既設上枠、既設下枠、既設縦枠が枠組みされ、室内外を連通する開口に設けられている、既設サッシが有する既設枠の内周側に設けられる改装サッシユニットであって、改装上枠、改装下枠、改装縦枠が枠組みされた改装枠を有し、新たに設けられる改装サッシと、前記既設上枠と前記改装上枠との間に介在される上枠接合部材と、前記既設下枠と前記改装下枠との間に介在される下枠接合部材と、を有し、前記下枠接合部材が取り付けられた前記改装枠は、前記上枠接合部材が取り付けられた前記既設上枠と前記既設下枠との間にて、上部が室内側から室外側に移動されたときに対向する前記改装上枠と前記上枠接合部材とが固定されていることを特徴とする改装サッシユニットである。
【０００７】
このような改装サッシユニットによれば、改装枠が取り付けられる際には、下枠接合部材が改装枠に取り付けられ、上枠接合部材が既設枠に取り付けられている。そして、上枠接合部材が取り付けられた既設上枠と既設下枠との間にて、下枠接合部材が取り付けられた改装枠の上部を室内側から室外側に移動すると対向する改装上枠と上枠接合部材とが固定されている。このため、下枠接合部材が取り付けられた改装枠は、室内側からの作業により既設上枠と既設下枠との間に配置することが可能であり、また、既設枠や躯体などに取り付けることが可能である。よって、室外側から取り付けるための足場を組む必要がなく、改装サッシを既設枠に室内側から容易に取り付けることが可能である。
【０００８】
かかる改装サッシユニットであって、前記上枠接合部材は、前記既設上枠の下方を覆い平坦な下面をなして前記改装上枠が固定される上枠固定板部と、前記上枠固定板部の室外側の端部側にて上方に突出させて設けられ前記既設上枠に室内側から当接される既設上枠当接部と、前記上枠固定板部の室外側の縁から下方に突出させて設けられ前記改装上枠が室内側から当接される改装上枠当接部と、を有することが望ましい。
【０００９】
このような改装サッシユニットによれば、上枠接合部材は、既設上枠の下方を覆い改装上枠が固定される上枠固定板部が平坦な下面をなしているので、改装上枠を室内側から室外側に移動させる際にスムーズに移動させることが可能である。また、上枠接合部材には、上枠固定板部の室外側の端部側に上方に突出されて既設上枠に室内側から当接される既設上枠当接部と、上枠固定板部の室外側の縁から下方に突出されて改装上枠が室内側から当接される改装上枠当接部が設けられているので、改装枠の上部を室内側から室外側に移動させて、既設枠に取り付けられた上枠接合部材の改装上枠当接部に当接させるだけで、改装枠を適切な位置に配置することが可能である。このため、より取り付け易い改装サッシユニットを提供することが可能である。
【００１０】
かかる改装サッシユニットであって、前記既設上枠は、見込み方向に間隔を隔てて一対のレールを有しており、平坦な下面をなし、室外側の前記レールの室外側及び室内側の前記レールの室内側に配置され上面が前記一対のレールの下縁に当接される第１レール当接部及び第２レール当接部と、前記第１レール当接部と前記第２レール当接部との間を繋ぎ上方に窪む連結部と、を備えた固定部材を有し、前記連結部が前記レールに固定された前記第１レール当接部及び前記第２レール当接部に前記上枠接合部材が固定され、前記上枠接合部材に前記改装上枠が固定されることが望ましい。
【００１１】
改装枠の上部を室内側から室外側に移動させて既設枠に取り付けるためには、既設上枠に取り付けられた上枠接合部材と、既設下枠との間隔は広い方が望ましく、また、上枠接合部材の下面は平坦であることが望ましい。上記改装サッシユニットによれば、上枠接合部材の上枠固定板部が固定される第１レール当接部及び第２レール当接部は、既設枠が有する一対のレールの下縁に上面が当接されて下面が平坦なので、上枠接合部材と既設下枠との間隔を広く確保することが可能である。また、固定部材は第１レール当接部と前記第２レール当接部とを繋ぎ上方に窪む連結部にてレールに固定されるので、固定部材が既設上枠に固定されることにより第１レール当接部及び前記第２レール当接部より下方にビス等が突出することを防止することが可能である。また、既設サッシにて既設障子が移動する際に支持されて高い強度を有するレールに固定部材が固定されるので、上枠接合部材の下側に向く面を平坦に維持しつつ高い強度を備えたレールに固定された固定部材に上枠接合部材を固定することが可能である。このため、上枠接合部材に固定される改装枠を強固に固定することが可能である。
【００１２】
また、既設上枠、既設下枠、既設縦枠が枠組みされ、室内外を連通する開口に設けられている、既設サッシが有する既設枠の内周側に設けられる改装サッシユニットの取付方法であって、前記既設上枠に、前記既設上枠と前記改装上枠との間に介在される上枠接合部材を取り付ける既設枠側接合部材取付工程と、改装上枠、改装下枠、改装縦枠が枠組みされた改装枠を有し、新たに設けられる改装サッシの、前記改装下枠に、前記既設下枠と前記改装下枠との間に介在される下枠接合部材を取り付ける改装枠側接合部材取付工程と、前記下枠接合部材が取り付けられた前記改装枠を、前記上枠接合部材が取り付けられた前記既設上枠と前記既設下枠との間にて、上部を室内側から室外側に移動させて前記既設枠の内側に配置する改装枠配置工程と、を有することを特徴とする改装サッシユニットの取付方法である。
【００１３】
このような改装サッシユニットの取付方法によれば、上枠接合部材が取り付けられた既設上枠と既設下枠との間にて、下枠接合部材が取り付けられた改装枠の上部を室内側から室外側に移動させることにより、改装上枠と上枠接合部材とを対向させることが可能である。このため、下枠接合部材が取り付けられた改装枠を、室内側からの作業により既設上枠と既設下枠との間に容易に配置することが可能であり、また、既設枠に容易に取り付けることが可能である。よって、室外側から取り付けるための足場を組むことなく、改装サッシを既設枠に室内側から容易に取り付けることが可能である。
【発明の効果】
【００１４】
本発明によれば、既設枠に室内側から容易に取り付けることが可能な改装サッシユニット及び改装ユニットの取付方法を提供することが可能である。
【図面の簡単な説明】
【００１５】
【図１】第１実施形態に係る改装サッシユニットを説明するための縦断面図である。
【図２】第１実施形態に係る改装サッシユニットを説明するための水平断面図である。
【図３】第１実施形態に係る改装サッシユニットの取付方法を説明するためのフロー図である。
【図４】第１実施形態に係る改装サッシユニットの取付方法を説明するための斜視図である。
【図５】既設枠の内側に配置される第１実施形態の改装サッシの姿勢を示す図である。
【図６】第２実施形態に係る改装サッシユニットを説明するための縦断面図である。
【図７】第２実施形態に係る改装サッシユニットを説明するための水平断面図である。
【発明を実施するための形態】
【００１６】
以下、本発明の第１実施形態に係る改装サッシユニット及び改装サッシユニットの取付方法について図面を参照して説明する。
【００１７】
＜第１実施形態＞
第１実施形態の改装サッシユニット１は、例えば、新たに設けられる改装サッシ１０と、建物の室内外を連通する開口２に設けられている既設サッシの既設枠５０の内周側に改装サッシ１０を取り付けるための接合部材３５、３６、３７と、既設枠５０及び躯体３に取り付けるための固定部材としての上枠接合部材固定金具４０、下枠接合部材固定金具４１、縦枠接合部材固定金具４２と、を有している。第１実施形態では、図１に示すように、室内外を連通する開口２に設けられた半外付けタイプの既設枠５０の内周側に設けられる改装サッシユニット及び改装サッシユニットの取付方法について説明する。
【００１８】
以下の説明においては、建物等に取り付けられた状態の既設枠５０及び改装サッシ１０を室内側から見たときに、上下となる方向を上下方向、左右となる方向を左右方向または見付け方向、室内外方向である奥行き方向を見込み方向として示す。また、改装サッシユニットが備える各部材は、単体として説明する場合であっても開口２に取り付けられた状態で上下方向、見付け方向、見込み方向等となる方向にて方向を特定して説明する。また、開口の上部に取り付けられる枠部材の下側、開口２の下部に取り付けられる枠部材の上側、開口２の左側に取り付けられる枠部材の右側、開口２の右側に取り付けられる枠部材の左側を、開口２及び枠部材の中央側又は内側として説明する。
【００１９】
第１実施形態においては、建物に既に設けられている既存の既設枠５０と、既設枠５０を開口２の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００２０】
既設サッシの既設枠５０は、引き違い障子用の枠体であり、既設サッシの既設障子（不図示）が案内される既設レール５１ａ、５１ｂ、５２ａ、５２ｂを有する既設上枠５１及び既設下枠５２と、既設障子の既設戸先框（不図示）と係合する既設係合片５３ａを有する左右の既設縦枠５３とが矩形状に枠組みされて開口２に設けられている。尚、既設上枠５１、既設下枠５２、及び、左右の既設縦枠５３は押出成形部材であり、左右の既設縦枠５３は、既設障子と係合する既設係合片５３ａの形状及び位置は異なるものの、互いにほぼ左右対称の形状をなしている。
【００２１】
既設枠５０は、既設上枠５１が躯体３をなす窓まぐさ３ａに、既設下枠５２が躯体３をなす窓台３ｂに、左右の既設縦枠５３が躯体３をなす柱（方立）３ｃにそれぞれ固定されている。既設上枠５１、既設下枠５２、既設縦枠５３は、いずれも、見込み方向において、窓まぐさ３ａ、窓台３ｂ、柱３ｃの見込み方向におけるほぼ中央から室外側に設けられている。
【００２２】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃと、既設額縁３０と対向する既設上額縁対向部５１ｄとを有している。既設内上レール５１ａ、既設外上レール５１ｂ、既設網戸上レール５１ｃ、既設上額縁対向部５１ｄは、上端側にて繋がっている。また既設上枠５１は、上部に設けられ上方に向かって突出された固定フィン５１ｅにて窓まぐさ３ａに固定されている。既設内上レール５１ａ、既設外上レール５１ｂ、既設網戸上レール５１ｃ、既設上額縁対向部５１ｄは、いずれも見付け方向の全域に渡って鉛直方向に垂設された板状の部位である。そして、室内側から既設上額縁対向部５１ｄ、既設内上レール５１ａ、既設外上レール５１ｂ、既設網戸上レール５１ｃ、の順で配置され、見込み方向に互いに間隔を隔てて対面するように設けられている。また、既設内上レール５１ａと既設外上レール５１ｂとの下端は、ほぼ同じ位置まで延出されている。
【００２３】
既設下枠５２は、既設内障子（不図示）を案内するための既設内下レール５２ａと、既設外障子（不図示）を案内するための既設外下レール５２ｂと、既設網戸（不図示）を案内するための既設網戸下レール５２ｃと、既設額縁３０に当接される既設下額縁対向部５２ｄとが、見込み方向に互いに間隔を隔てて設けられている。既設内下レール５２ａ、既設外下レール５２ｂ、既設網戸下レール５２ｃ、既設下額縁対向部５２ｄは、いずれも見付け方向の全域に渡って上方に突出させて設けられた板状の部位である。そして、室内側から既設下額縁対向部５２ｄ、既設内下レール５２ａ、既設外下レール５２ｂ、既設網戸下レール５２ｃ、の順で、見込み方向に互いに間隔を隔てて配置されている。また、既設下額縁対向部５２ｄ及び既設内下レール５２ａと、既設外下レール５２ｂと、既設網戸下レール５２ｃとは、室内側から室外側に向かって順次低くなるように階段状に形成されている。
【００２４】
既設下枠５２は、室内側の部位が窓台３ｂ上に載置されるとともに下方に向かって突出された固定フィン５２ｅにて窓台３ｂに固定されている。
【００２５】
既設縦枠５３は、見込み方向に沿う平面でなる既設縦枠本体部５３ｂと、既設縦枠本体部５３ｂから開口２の中央側に突出され既設障子の既設戸先框が係合される既設係合片５３ａと、既設枠５０の室外側にて配置され既設縦枠本体部５３ｂから開口２の中央側に突出され既設網戸の既設縦框に挿入される既設挿入片５３ｄと、既設挿入片５３ｄと見付け方向において反対側に既設縦枠本体部５３ｂから突出された固定フィン５３ｅと、を有している。
【００２６】
改装サッシユニット１は、新たに取り付けられる改装サッシ１０と、改装サッシ１０を取り付けるための上枠接合部材３５、下枠接合部材３６、縦枠接合部材３７と、上枠接合部材３５を既設枠５０に固定するための上枠接合部材固定金具４０と、下枠接合部材３６を窓台３ｂに固定するための下枠接合部材固定金具４１と、縦枠接合部材３７を柱３ｃに固定するための縦枠接合部材固定金具４２と、既設縦枠５３と改装縦枠２３とを室外側から覆う縦枠カバー部材４５と、室外側にて改装枠２０の下端側の左右の角部を覆うキャップ部材４６と、を有している。
【００２７】
改装サッシ１０は、建物等の開口に直接新設可能な一般的なサッシである。すなわち、改装専用のサッシではない。改装サッシ１０の改装枠２０も引き違い障子用の枠体であり、改装サッシ１０の改装障子１２が案内される改装レール２１ａ、２１ｂ、２２ａ、２２ｂを有する改装上枠２１及び改装下枠２２と、左右の改装縦枠２３が矩形状に枠組みされている。改装上枠２１、改装下枠２２、及び、左右の改装縦枠２３は押出成形部材であり、左右の改装縦枠２３は改装障子１２ａ、１２ｂとの改装係合片２３ａを除いて互いに左右対称の形状をなしている。
【００２８】
改装上枠２１は、改装内障子１２ａを案内するための改装内上レール２１ａと、改装外障子１２ｂを案内するための改装外上レール２１ｂと、改装網戸１４を案内するための改装網戸上レール２１ｃとが、見込み方向に互いに間隔を隔てて設けられている。改装内上レール２１ａと、改装外上レール２１ｂと、改装網戸上レール２１ｃとは、改装上枠２１の見付け方向の全域に渡って鉛直方向に垂設されている。また、改装網戸上レール２１ｃは、改装上枠２１の最も室外側に設けられている。改装上枠２１の室内側の端部には、改装額縁６０と対向する改装額縁対向部２１ｄが設けられている。
【００２９】
また、改装上枠２１は、改装内上レール２１ａと改装外上レール２１ｂとの間にて分断されており、室外側の部位と室内側の部位とが断熱材２４を介して接合されて断熱性が確保されている。
【００３０】
改装上枠２１の、断熱材２４より室外側の部位の上面は、見込み方向の中央より室内側がほぼ水平面をなし、中央より室外側は室外側に向かって低くなるように僅かな傾斜が設けられた滑らかな面をなしている。また、断熱材２４より室内側は、室外側の部位より低く窪みが形成されている。このため、改装上枠２１は、水平面をなす部位より上方に突出しないように形成されている。
【００３１】
改装下枠２２は、改装内障子１２ａを案内するための改装内下レール２２ａと、改装外障子１２ｂを案内するための改装外下レール２２ｂと、改装網戸１４を案内するための改装網戸下レール２２ｃとが、見込み方向に互いに間隔を隔てて設けられている。改装下枠２２の室内側の端部は、改装サッシ１０の室内側に設けられた改装額縁６０と対向する平面を有する額縁対向部２２ｄが設けられている。額縁対向部２２ｄの下端は、後述する下枠接合部材３６に設けられた下枠接合部材固定金具４１に当接されるとともに、下枠接合部材固定金具４１に設けられた鉛直壁部４１ａに皿ビス６５にて固定される。
【００３２】
額縁対向部２２ｄと改装内下レール２２ａとを繋ぐ部位のほぼ中央には、下方に延出されて下枠接合部材固定金具４１に支持される室内側脚部２２ｅと、改装内下レール２２ａの下方に延出されて下枠接合部材３６に支持される中央脚部２２ｆと、改装外下レール２２ｂの下方に延出されて下枠接合部材３６に支持される室外側脚部２２ｇと、を有し、中央脚部２２ｆと室外側脚部２２ｇとが下端側にて連結された連結部２２ｈを有している。また、連結部２２ｈから室外側に、改装網戸下レール２２ｃとほぼ同じ位置まで延出された延出部２２ｉが形成され、延出部２２ｉの先端には、下枠接合部材３６と係合する下枠係合部２２ｋが設けられている。
【００３３】
改装縦枠２３は、見込み方向に沿う平面を有する改装縦枠本体部２３ｂと、改装縦枠本体部２３ｂから開口２の中央側に突出され改装障子１２ａ、１２ｂの改装戸先框１２ｃが係合される改装係合片２３ａと、改装縦枠本体部２３ｂの最も室内側にて改装額縁６０と対向する額縁対向部２３ｃと、改装枠２０の最も室外側に配置され改装縦枠本体部２３ｂから開口２の中央側に突出され改装網戸１４の改装縦框１４ａに挿入される改装挿入片２３ｄと、改装枠２０の最も室外側に配置され改装挿入片２３ｄと見付け方向において反対側に突出された縁部２３ｅと、を有している。ここで、額縁対向部２３ｃは、後述する縦枠接合部材３７に設けられた縦枠接合部材固定金具４２に当接される部位である。
【００３４】
上枠接合部材３５は、アルミニウム製の押し出し成形部材である。  
上枠接合部材３５は、既設上枠５１の下方を覆い平板状をなして改装上枠２１が固定される上枠固定板部３５ａと、上枠固定板部３５ａの室外側の端部側にて上方に突出させて設けられ既設上枠５１に室内側から当接される既設上枠当接部３５ｂと、上枠固定板部３５ａの室外側の縁から下方に突出させて設けられ改装上枠２１が室内側から当接される改装上枠当接部３５ｃとを有している。上枠固定板部３５ａは、ほぼ平坦な板状をなし、取り付けられた際に既設上枠５１の既設上額縁対向部５１ｄより室内側に突出し、突出した部位が既設額縁３０の下面と対向するように形成されている。
【００３５】
既設上枠当接部３５ｂは、上枠固定板部３５ａと一体をなす既設上枠当接片３５ｄと、既設上枠当接片３５ｄの上端側に設けられた水密材３４とを有し、改装上枠当接部３５ｃは、上枠固定板部３５ａと一体をなす改装上枠当接片３５ｅと、改装上枠当接片３５ｅの下端側に設けられた水密材３４と、を有している。また、既設上枠当接片３５ｄの上端側には室内側に窪む既設側凹部３５ｆが、また、改装上枠当接片３５ｅの下端側には室外側に窪む改装側凹部３５ｇが設けられており、水密材３４は既設側凹部３５ｆと改装側凹部３５ｇとにそれぞれ嵌合されている。
【００３６】
固定部材としての上枠接合部材固定金具４０は、既設内上レール５１ａ及び既設外上レール５１ｂの下縁に当接され、既設内上レール５１ａの室内側及び既設外上レール５１ｂの室外側に延び下面が平坦な２つのレール当接部４０ａと、２つのレール当接部４０ａ間を繋ぎ上方に窪む連結部４０ｂと、を備えたアルミニウム製の押出成形部材である。連結部４０ｂは、２つのレール当接部４０ａのうちの第１レール当接部としての室外側のレール当接部４０ａの室内側の縁から室内側に向かって順次上昇する方向に延出された室外側延出部４０ｃと、２つのレール当接部４０ａのうちの第２レール当接部としての室内側のレール当接部４０ａの室外側の縁から室外側に向かって順次上昇する方向に延出された室内側延出部４０ｄと、室外側のレール当接部４０ａの室外側の縁から上方に延出された位置決め片４０ｅと、を有している。
【００３７】
室外側延出部４０ｃは室内側延出部４０ｄの下面側と繋がり、室内側延出部４０ｄは室外側延出部４０ｃが繋がった部位より更に延出されている。また、室外側延出部４０ｃの傾斜角度は室内側延出部４０ｄの傾斜角度より大きく、室外側延出部４０ｃと室内側延出部４０ｄとがなす角度は約９０度である。
【００３８】
室外側のレール当接部４０ａの見込み方向の幅は室外側のレール当接部４０ａより狭く、室外側延出部４０ｃ、室外側のレール当接部４０ａ、位置決め片４０ｅとは、上方に開放された溝状をなしている。そして、既設外上レール５１ｂの下縁が室外側のレール当接部４０ａの上面に当接するように、溝状をなす部位の内側に既設外上レール５１ｂを挿入することにより上枠接合部材固定金具４０が位置決めされる。
【００３９】
下枠接合部材３６、左右の縦枠接合部材３７はいずれも、室外側に配置されるアルミニウム製のアルミ枠部３６ａ、３７ａと、室内側に配置される木製の木枠部３６ｂ、３７ｂとを有し、アルミ枠部３６ａ、３７ａと木枠部３６ｂ、３７ｂとが皿ビス６４にて固定されている。下枠接合部材３６の木枠部３６ｂの室外側に面は、木枠部３６ｂがアルミ枠部３６ａに固定されて、改装サッシが配置された際に、額縁対向部２２ｄとほぼ同一平面を形成するように構成されている。
【００４０】
下枠接合部材３６のアルミ枠部３６ａは、直方体状をなす木枠部３６ｂの室外側の面と対面する外対面部３６ｃと、木枠部３６ｂの下面と対面する下対面部３６ｄとがほぼＬ字状に形成された木枠対面部３６ｅと、下対面部３６ｄが室外側に延出された延出部３６ｆと、延出部３６ｆの室外側の端部に設けられ、改装下枠２２の下枠係合部２２ｋと係合する係合凹部３６ｈと、係合凹部３６ｈから下方に垂設され、既設網戸下レール５２ｃに下枠ブラケット３９を介して固定される室外側固定部３６ｇとを有している。下枠ブラケット３９は、既設下枠５２の既設外下レール５２ａの室外側に当接されてビス止めされるレール固定部３９ａと、レール固定部３９ａがビス止めされた状態で既設網戸下レール５２ｃの室内側に配置される網戸レール室内壁部３９ｂとが上方で繋がったアルミニウム製の押出成形部材である。室外側固定部３６ｇは、レール固定部３９ａがビス止めされた下枠ブラケット３９の網戸レール室内壁部３９ｂとの間に既設網戸下レール５２ｃを挟み、室外側固定部３６ｇを貫通するビスが網戸レール室内壁部３９ｂに螺合されて固定されている。
【００４１】
また、下枠接合部材３６の室内側は、下枠接合部材固定金具４１にて固定されている。
【００４２】
下枠接合部材固定金具４１は、下枠接合部材３６の木枠部３６ｂの室内側の面と額縁対向部２２ｄとに亘って当接される鉛直壁部４１ａと、鉛直壁部４１ａとほぼ直角をなし室外側に延出された水平板部４１ｂと、鉛直壁部４１ａから室内側に延出された取付片４１ｃとを有している。鉛直壁部４１ａは、上側の部位が額縁対向部２２ｄに当接されてビス止めされ、下側の部位が木枠部３６ｂの室内側の面に当接される。水平板部４１ｂの下面は下枠接合部材３６の木枠部３６ｂの上面に当接される。また、取付片４１ｃは、鉛直壁部４１ａの下縁から室内側に向かって延出され、鉛直壁部４１ａから離れるに従って高さが低くなる傾斜を有している。
【００４３】
下枠接合部材固定金具４１が取り付けられた改装枠２０が既設枠５０の内側に配置されると、取付片４１ｃの上面が室内側に臨み、取付片４１ｃを貫通した皿ビス６８は、室外側に傾きつつ下方に進入して窓台３ｂに至るように構成されている。
【００４４】
左右の縦枠接合部材３７のアルミ枠部３７ａは、直方体状をなす木枠部３７ｂの室外側の端が挿入される溝部３７ｃと、溝部３７ｃの室外側の壁部３７ｄを共有して溝部３７ｃの室外側に形成され、木枠部３７ｂとは隔離された隔離空間としての中空部３７ｅとを有している。縦枠接合部材３７の中空部３７ｅは、水平断面がほぼ長方形状をなしている。また、縦外面部３７ｆは、開口２の中央側に延出されるとともに、その先端に、改装縦枠２３の縁部２３ｅと係合する係合部３７ｈが形成されている。
【００４５】
左の縦枠接合部材３７の左側面と右の縦枠接合部材３７の右側面とは、室外側に位置するアルミ枠部３７ａの平坦な側面と、室内側に位置する木枠部３７ｂの平坦な側面とで形成されている。すなわち、左の縦枠接合部材３７はアルミ枠部３７ａの左側面より左側に突出する部位はなく、また、右の縦枠接合部材３７はアルミ枠部３７ａの右側面より右側に突出する部位はないように形成されている。
【００４６】
左右の縦枠接合部材３７の室内側は、縦枠接合部材固定金具４２にて固定されている。
【００４７】
縦枠接合部材固定金具４２は、縦枠接合部材３７の木枠部３７ｂの室内側の面と額縁対向部２３ｃとに亘って当接される室内側壁部４２ａと、室内側壁部４２ａとほぼ直角をなし室外側に延出された鉛直片４２ｂと、室内側壁部４２ａから室内側に延出され室内側壁部４２ａから離れつつ室内側に傾斜する縦取付片４２ｃとを有している。
【００４８】
室内側壁部４２ａは、開口の内側に位置する部位が額縁対向部２３ｃに当接されてビス止めされ、開口の外側に位置する部位が木枠部３７ｂの室内側の面に当接される。鉛直片４２ｂにおける開口の外側の面は縦枠接合部材３７の木枠部３７ｂに当接される。また、縦取付片４２ｃは、室内側壁部４２ａにおける開口の外側の縁から室内側に向かって延出され、室内側壁部４２ａから離れるに従って開口の外方側に傾斜している。
【００４９】
縦枠接合部材固定金具４２が取り付けられた改装枠２０が既設枠５０の内側に配置されると、縦取付片４２ｃが室内側に臨み、縦取付片４２ｃを貫通した皿ビス６８は、室外側に傾きつつ開口の外方に進入して柱３ｃに至るように構成されている。
【００５０】
縦枠カバー部材４５は、改装枠２０が上枠接合部材３５、下枠接合部材３６、縦枠接合部材３７を介して既設枠５０に取り付けられた際に、既設縦枠５３、縦枠接合部材３７、改装縦枠２３が隣接する境界部分が室外側に露出しないように既設縦枠５３、縦枠接合部材３７、改装縦枠２３の室外側の面に亘って設けられるカバー部材である。縦枠カバー部材４５は、上枠接合部材３５、下枠接合部材３６、縦枠接合部材３７に跨って配置される幅を有する平板状の部材である。縦枠カバー部材４５は、縦枠接合部材３７の室外に臨む面と既設縦枠５３の既設挿入片５３ｄとにビス止めされる。
【００５１】
第１実施形態の改装サッシユニット１の取付方法は、図３に示すように、既設上枠５１に上枠接合部材３５を取り付ける既設枠側接合部材取付工程Ｓ１と、改装枠２０に下枠接合部材３６及び縦枠接合部材３７を取り付ける改装枠側接合部材取付工程Ｓ２とが独立して実行され、その後、下枠接合部材３６と縦枠接合部材３７とが取り付けられた改装枠２０を、その下部を上部より先行させて既設枠５０の内周側へ進入させた後に上部を室内側から室外側に移動させて上枠接合部材３５が取り付けられた既設上枠５１と既設下枠５２との間に配置する改装枠配置工程Ｓ３を実行する。
【００５２】
より具体的には、まず、改装枠２０を矩形状に枠組みする。このとき、改装枠２０の改装下枠２２、改装縦枠２３の外周側に水密材としてのシール部材２８を設けておく。このシール部材２８は、改装枠２０に下枠接合部材３６及び縦枠接合部材３７が取り付けられた状態で、下枠接合部材３６及び縦枠接合部材３７の木枠部３６ｂ、３７ｂより室外側に位置して、アルミ枠部３６ａ、３７ａと改装枠２０とに圧縮される。
【００５３】
次に、下枠接合部材３６に下枠接合部材固定金具４１を、また、縦枠接合部材３７に縦枠接合部材固定金具４２をそれぞれ取り付ける。このとき、下枠接合部材３６のアルミ枠部３６ａに固定された木枠部３６ｂの上面に水平板部４１ｂが載置された状態で、上方から水平板部４１ｂを貫通する皿ビス６４にて水平板部４１ｂを木枠部３６ｂに固定する。下枠接合部材固定金具４１は、図４に示すように、見付け方向に適宜間隔を隔てて例えば３カ所に取り付ける。また、縦枠接合部材３７のアルミ枠部３７ａに固定された木枠部３７ｂにおける開口２の中央側の面に鉛直片４２ｂを当接させた状態で、開口２の中央側から鉛直片４２ｂを貫通する皿ビス６４にて鉛直片４２ｂを木枠部３７ｂに固定する。縦枠接合部材固定金具４２も、図４に示すように上下方向に適宜間隔を隔てて例えば３カ所に取り付ける。
【００５４】
次に、下枠接合部材固定金具４１が取り付けられた下枠接合部材３６を、枠組みされた改装枠２０の改装下枠２２に、また、縦枠接合部材固定金具４２が取り付けられ縦枠接合部材３７を、枠組みされた改装枠２０の左右の改装縦枠２３にそれぞれ取り付ける（改装枠側接合部材取付工程Ｓ２）。このとき、改装下枠２２の下枠係合部２２ｋを下枠接合部材３６の係合凹部３６ｈに係合させて、改装下枠２２の下側に下枠接合部材３６を配置すると額縁対向部２２ｄが鉛直壁部４１ａの室外側に配置されるので室内側から鉛直壁部４１ａを貫通する皿ビス６５にて鉛直壁部４１ａを額縁対向部２２ｄに固定する。また、改装縦枠２３における開口２の外方側に縦枠接合部材３７を配置すると額縁対向部２３ｃが室内側壁部４２ａの室外側に配置されるので室内側から室内側壁部４２ａを貫通する皿ビス６５にて室内側壁部４２ａを額縁対向部２３ｃに固定する。
【００５５】
改装枠２０に下枠接合部材３６及び左右の縦枠接合部材３７が取り付けられた状態では、改装上枠２１の水平面をなす上面より上方に突出する部位はなく、また、左の縦枠接合部材３７のアルミ枠部３７ａより左側及び右の縦枠接合部材３７のアルミ枠部３７ａより右側に突出する部位はない。このため、下枠接合部材３６及び左右の縦枠接合部材３７が取り付けられた改装枠２０の見付け方向の最大幅は、左の縦枠接合部材３７が有するアルミ枠部３７ａの左側面と右の縦枠接合部材３７が有するアルミ枠部３７ａの右側面とのなす幅である。この左右のアルミ枠部３７ａがなす幅は、左右の既設縦枠５３間における見付け方向の最も狭い部位の間隔より狭くなっている。
【００５６】
ここで、改装枠２０の枠組みから下枠接合部材固定金具４１及び縦枠接合部材固定金具４２を改装枠２０に取り付ける工程は施工現場で行っても良いが、予め工場にて行うとより精度良く枠組みすることが可能である。
【００５７】
一方、既設上枠５１には上枠接合部材固定金具４０を取り付け、さらに上枠接合部材３５を取り付けておく（既設枠側接合部材取付工程Ｓ１）。このとき、既設上枠当接部３５ｂは、上枠固定板部３５ａと一体をなす既設上枠当接片３５ｄの上端側に設けられた既設側凹部３５ｆと、上枠固定板部３５ａと一体をなす改装上枠当接片３５ｅの下端側に設けられた改装側凹部３５ｇとに予め水密材３４を嵌合しておく。そして、上枠接合部材固定金具４０は、既設上枠５１の下方から、位置決め片４０ｅと室外側延出部４０ｃとの間に既設外上レール５１ｂを挿入し、室外側のレール当接部４０ａの上面に既設外上レール５１ｂの下縁を当接させて配置する。この状態で、室内側延出部４０ｄの先端が既設外上レール５１ｂの室内側の面に当接され、室外側延出部４０ｃが室内側に臨むように配置される。そして、室内側に臨む室外側延出部４０ｃに皿ビス６５を貫通させるとともに既設外上レール５１ｂに螺合する。既設外上レール５１ｂにビス止めされた上枠接合部材固定金具４０は、既設内上レール５１ａと既設外上レール５１ｂとに押し当てられて安定した状態で既設上枠５１に取り付けられる。
【００５８】
次に、既設上枠５１に取り付けられた上枠接合部材固定金具４０の下方から上枠接合部材３５を配置して皿ビス６５、６７にて固定する。このとき、既設上枠当接部３５ｂを既設上枠５１が有する既設網戸上レール５１ｃの室内側の面に押圧し既設上枠当接片３５ｄの上端側に設けられた水密材３４を圧縮させる。そして、水密材３４が圧縮された状態にて、上枠固定板部３５ａの下方から既設内上レール５１ａと既設外上レール５１ｂとの間に、上枠固定板部３５ａを貫通する皿ビス６５を進入させて上枠接合部材固定金具４０の室内側延出部４０ｄに螺合し、上枠固定板部３５ａの、既設上額縁対向部５１ｄより室内側に突出して既設額縁３０と対向する部位を窓まぐさ３ａまで至る皿ビス６７にて固定する。
【００５９】
また、既設下枠５２の既設外下レール５２ａには、図４に示すように、見付け方向に適宜間隔を隔てて例えば３カ所に下枠ブラケット３９を取り付けておく。
【００６０】
次に、下枠接合部材３６及び縦枠接合部材３７が取り付けられた改装枠２０を、上枠接合部材３５及び下枠ブラケット３９が取り付けられた既設枠５０の内周側に室内側から配置する（改装枠配置工程Ｓ３）。具体的には、下枠接合部材３６及び縦枠接合部材３７が取り付けられた改装枠２０の下部が室外側に、上部が室内側に位置するように改装枠２０を傾斜させた状態で、上枠接合部材３５及び下枠ブラケット３９が取り付けられた既設上枠５１と既設下枠５２との間に移動させる。そして、図５に示すように、改装枠２０に取り付けられた下枠接合部材３６を既設下枠５２に取り付けられた下枠ブラケット３９の上方近傍に位置させて、改装枠２０の上部を室内側から室外側に移動させ、改装枠２０を既設枠５０の内周側に配置する。このとき、下枠接合部材３６は既設内下レール５２ａに載置され、改装上枠２１の上面と上枠接合部材３５の下面とが対向する。
【００６１】
そして、改装上枠２１の改装網戸上レール２１ｃの室外側の面を改装上枠当接部３５ｃに押圧し改装上枠当接片３５ｅの下端側に設けられた水密材３４を圧縮させた状態で、下枠接合部材固定金具４１の取付片４１ｃと縦枠接合部材固定金具４２の縦取付片４２ｃとを、窓台３ｂ及び柱３ｃまで至る皿ビス６８にて固定する。すなわち、改装下枠２２は、下枠接合部材３６、下枠接合部材固定金具４１、及び、下枠ブラケット３９を介して既設枠５０に取り付けられる。このとき、下枠接合部材３６及び縦枠接合部材３７が取り付けられた改装枠２０と既設額縁３０との間に空隙が生じる場合には適宜飼木７０を備えた後にビス止めする。
【００６２】
その後、改装上枠２１の改装額縁対向部２１ｄと改装内上レール２１ａとの間にて窓まぐさ３ａまで至る皿ビス６９で固定し、改装網戸上レール２１ｃと改装外上レール２１ｂとの間にて上枠固定板部３５ａに至るビス６６で改装上枠２１を固定する。すなわち、改装上枠２１は、上枠接合部材３５及び上枠接合部材固定金具４０を介して既設枠５０に取り付けられる。このとき、上枠接合部材３５が取り付けられた既設上枠５１及び既設額縁３０と改装枠２０との間に空隙が生じる場合には適宜飼木７０を備えた後にビス止めする。
【００６３】
下枠接合部材３６及び縦枠接合部材３７が取り付けられた改装枠２０が既設枠５０の内側に配置された状態で、下枠ブラケット３９の網戸レール室内壁部３９ｂとの間に既設網戸下レール５２ｃを挟むように配置されている下枠接合部材３６の室外側固定部３６ｇを、開口２を利用して室内側からの作業により網戸レール室内壁部３９ｂにビス止めする。  
次に、縦枠カバー部材４５を室外側から縦枠接合部材３７及び改装縦枠２３に当接させて縦枠接合部材３７と既設縦枠５３の既設挿入片５３ｄにビス止めし、キャップ部材４６を取り付ける。ここで、縦枠カバー部材４５及びキャップ部材４６は室外側から縦枠接合部材３７及び改装縦枠２３に当接させるが、作業者は、改装障子１２ａ、１２ｂの取り付けられていない改装枠２０の内側の開口を利用して室内側から施工する。
【００６４】
最後に、既設額縁３０の内側に下地材６２を備え、下地材６２の内側に改装額縁６０を配置して固定する。
【００６５】
第１実施形態の改装サッシユニットによれば、改装枠２０が取り付けられる際には、下枠接合部材３６及び縦枠接合部材３７が改装枠２０に取り付けられ、上枠接合部材３５が既設枠５０に取り付けられている。そして、上枠接合部材３５が取り付けられた既設上枠５１と既設下枠５２との間にて、下枠接合部材３６及び縦枠接合部材３７が取り付けられた改装枠２０の上部を室内側から室外側に移動すると対向する改装上枠２１の水平面をなす上面と上枠接合部材３５の下面とが固定されている。このため、下枠接合部材３６及び縦枠接合部材３７が取り付けられた改装枠２０は、室内側からの作業により既設上枠５１と既設下枠５２との間に配置することが可能であり、また、既設枠５０に取り付けることが可能である。よって、室外側から取り付けるための足場を組む必要がなく、改装サッシ１０を既設枠５０に室内側から容易に取り付けることが可能である。
【００６６】
このような改装サッシユニット１は、改装枠２０の上部を室内側から室外側に移動させて既設枠５０に取り付けるので、既設上枠５１に取り付けられた上枠接合部材３５と、既設下枠５２との間隔は広い方が望ましく、また、上枠接合部材３５の下面は平坦であることが望ましい。この点において、上記改装サッシユニット１は、上枠接合部材３５の上枠固定板部３５ａが固定される上枠接合部材固定金具４０が、既設上枠５１が有する既設内上レール５１ａ及び既設外上レール５１ｂの下縁に当接されて下面が平坦なレール当接部４０ａを有しているので、上枠接合部材３５と既設下枠５２との間隔を広く確保することが可能である。また、上枠接合部材固定金具４０はレール当接部４０ａを繋ぎ上方に窪む連結部４０ｂにて既設外上レール５１ｂに固定されるので、上枠接合部材固定金具４０が既設上枠５１に固定されることによりレール当接部４０ａより下方にビス６５の頭部等が突出することを防止することが可能である。さらに、上枠接合部材３５を上枠接合部材固定金具４０に固定するビスは皿ビス６５、６７なので、上枠固定板部３５ａの下面にビス頭部が突出することを防止することが可能である。
【００６７】
また、上枠接合部材３５は、既設上枠５１の下方を覆い改装上枠２１が固定される上枠固定板部３５ａが平坦な下面をなしているので、改装上枠２１を室内側から室外側に移動させる際にスムーズに移動させることが可能である。また、上枠接合部材３５には、上枠固定板部３５ａの室外側の端部側に上方に突出されて既設上枠５１に室内側から当接される既設上枠当接部３５ｂと、上枠固定板部３５ａの室外側の縁から下方に突出されて改装上枠２１が室内側から当接される改装上枠当接部３５ｃとが設けられているので、改装枠２０の上部を室内側から室外側に移動させて、既設枠５０に取り付けられた上枠接合部材３５の改装上枠当接部３５ｃに当接させるだけで、改装枠２０を適切な位置に配置することが可能である。このため、より取り付け易い改装サッシユニット１を提供することが可能である。
【００６８】
また、既設サッシにて既設障子が移動する際に支持されて高い強度を有する既設外上レール５１ｂに上枠接合部材固定金具４０が固定されるので、上枠接合部材３５の下側に向く面を平坦に維持しつつ高い強度を備えた既設外上レール５１ｂに固定された上枠接合部材固定金具４０に上枠接合部材３５を固定することが可能である。このため、上枠接合部材３５に固定される改装枠２０を強固に固定することが可能である。
【００６９】
また、第１実施形態の改装サッシユニット１の取付方法によれば、上枠接合部材３５が取り付けられた既設上枠５１と既設下枠５２との間にて、下枠接合部材３６及び縦枠接合部材３７が取り付けられた改装枠２０の上部を室内側から室外側に移動させることにより、改装上枠２１の上面と上枠接合部材３５の下面とを対向させることが可能である。このため、下枠接合部材３６及び縦枠接合部材３７が取り付けられた改装枠２０を、室内側からの作業により既設上枠５１と既設下枠５２との間に容易に配置することが可能であり、また、既設枠５０に容易に取り付けることが可能である。よって、室外側から取り付けるための足場を組むことなく、改装サッシユニット１を既設枠５０に室内側から容易に取り付けることが可能である。
【００７０】
＜第２実施形態＞
第２実施形態の改装サッシユニット１０１は、例えば、新たに設けられる改装サッシ１１０が樹脂製であり、建物の室内外を連通する開口２に設けられている既設サッシの既設枠５０に改装サッシ１１０を取り付けるため接合部材として、第１実施形態の上枠接合部材３５を使用するが、下枠接合部材１３６は、第１実施形態の下枠接合部材３６の外対面部３６ｃが切除されたアルミ枠部３６ａのみを使用し、縦枠接合部材３７は使用せずに改装縦枠１２３を既設縦枠５３に直接固定するように構成されている。また、改装枠１２０を躯体３に取り付けるための固定金具９０は、改装上枠１２１、改装下枠１２２、改装縦枠１２３のいずれにも同一の部材を使用する。
【００７１】
第２実施形態も第１実施形態と同様に、室内外を連通する開口２に設けられた半外付けタイプの既設枠５０に取り付ける改装サッシユニット及び改装サッシユニットの取付方法について説明する。以下の説明では、第１実施形態と同じ部材及び部位には同符号を付して説明を省略する。
【００７２】
第２実施形態の改装サッシユニット１０１は、図６、図７に示すように、新たに取り付けられる改装サッシ１１０と、既設枠５０に改装サッシ１１０を取り付けるための上枠接合部材３５及び下枠接合部材１３６と、改装上枠１２１、改装下枠１２２、改装縦枠１２３を躯体３に固定するための固定金具９０と、改装縦枠１２３と既設縦枠５３との間を室外側から覆う縦枠カバー部材４５と、を有している。
【００７３】
改装サッシ１１０は、建物等の開口２に直接新設可能な一般的なサッシである。すなわち、改装専用のサッシではない。改装サッシ１１０の改装枠１２０は、見付け方向におけるほぼ半分の領域を占めるＦＩＸ障子１１２ｂと残り半分の領域を閉塞可能かつ移動可能な移動障子１１２ａ及び室外側に設けられた改装網戸１４を備えた片引き窓用のサッシである。このため、改装サッシ１１０の改装枠１２０は、ＦＩＸ障子１１２ｂが取り付けられるＦＩＸ障子取付領域を室外側に備え、移動障子１１２ａが案内される溝部１２２ｄを有する障子移動領域を備えた改装上枠１２１、改装下枠１２２、改装縦枠１２３が矩形状に枠組みされている。
【００７４】
第２実施形態の改装サッシ１１０は樹脂製なので、改装上枠１２１、改装下枠１２２、改装縦枠１２３を溶着にて枠組みし易いように、改装上枠１２１、改装下枠１２２、改装縦枠１２３の断面形状が同一の押し出し成形部材にて構成されている。このため、改装上枠１２１、改装下枠１２２、改装縦枠１２３の説明は、改装下枠１２２を例に挙げて説明する。改装下枠１２２の説明においては、改装上枠１２１、改装縦枠１２３の方向と共通な方向として示すために、改装下枠１２２に対する上下の方向を、枠組みされた改装枠１２０の内外方向、すなわち、改装枠１２０の中央側（内周側）を内方、改装枠１２０の外側（外周側）を外方ともいう。また、以下の説明では、改装上枠１２１、改装下枠１２２、改装縦枠１２３における同一の部位は、同名称で示し符号を異ならせる。例えば、改装上枠１２１において、改装下枠１２２の中空部１２２ａと同一の中空部を示す場合には、中空部１２１ａとする。
【００７５】
改装下枠１２２には、見付け方向に延びる３つの中空部１２２ａ、１２２ｂ、１２２ｃが見込み方向に並べて形成されており、３つの中空部１２２ａ、１２２ｂ、１２２ｃの外方面１２２ｑ、すなわち、改装下枠１２２の外方面１２２ｑは平坦に形成されている。３つの中空部１２２ａ、１２２ｂ、１２２ｃは、障子移動領域側に２つの中空部１２２ａ、１２２ｂが、ＦＩＸ障子取付領域側に１つの中空部１２２ｃが配置されている。障子移動領域の中空部１２２ａ、１２２ｂの内周側には、移動障子１１２ａの外周端の一部が収容されて移動する溝部１２２ｄが形成されている。
【００７６】
溝部１２２ｄは、障子移動領域の室内側に配置された中空部１２２ａを形成する室外側の室内壁部１２２ｅから内方に延出された室内溝壁部１２２ｆと、障子移動領域の室外側の中空部１２２ｂとＦＩＸ障子取付領域側の中空部１２２ｃとの境界となる中央壁部１２２ｇから内方に延出された中央溝壁部１２２ｈと、障子移動領域の２つの中空部１２２ａ、１２２ｂの上面となる内周側の面とで形成されている。
【００７７】
中央溝壁部１２２ｈの室外側には、中空部１２２ｃの内周面が、ＦＩＸ障子１１２ｂが嵌め込まれてＦＩＸ障子１１２ｂの框の外周面と対向する障子対向部１２２ｉをなしている。改装下枠１２２の最も室外側には改装網戸１４を案内する改装網戸下レール１２２ｊを有し、改装網戸下レール１２２ｊと障子対向部１２２ｉとの間には、改装網戸下レール１２２ｊを挟む改装網戸１４が有する下框の室内側の部位が入り込む凹部１２２ｋが形成されている。
【００７８】
障子対向部１２２ｉの内周面には、嵌め込まれるＦＩＸ障子１１２ｂの外周面に形成され連結部材８０が嵌合される障子側嵌合溝１１２ｅと対向する枠側嵌合溝１２２ｌが形成されている。また、室内壁部１２２ｅには、固定金具９０の係合片９１が係合される係合凹部１２２ｍが、改装枠１２０の内外方向におけるほぼ中央に形成されている。係合凹部１２２ｍより内方側となる室内溝壁部１２２ｆの室内側に臨む面からは室内側に延出させて改装額縁１６０と対向する額縁対向部１２２ｎが形成されている。
【００７９】
固定金具９０は、改装枠１２０の室内壁部１２２ｅに当接される枠当接部９２と、枠当接部９２の改装枠１２０の内外方向における一方の縁からほぼ直角をなして延出され躯体３に固定される躯体固定板部９３と、枠当接部９２の他方の縁からほぼ直角をなし躯体固定板部９３と対向する対向板部９４と、対向板部９４と見込み方向において反対側に延出され先端が枠当接部９２と反対方向に延出され係合凹部１２２ｍに係合される係合片９１と、を有している。
【００８０】
躯体固定板部９３は、対向板部９４より室内側に長く延出されており、対向していない部位にて窓台３ｂに至る皿ビス６８が貫通されて固定される。対向板部９４の先端側、すなわち室内側には改装額縁１６０を係合するフック部９４ａが形成されており、対向板部９４は躯体固定板部９３との間隔が変化する方向に弾性変形可能に形成されている。
【００８１】
固定金具９０は、係合片９１が改装上枠１２１、改装下枠１２２、改装縦枠１２３の各係合凹部１２１ｍ、１２２ｍ、１２３ｍに係合されるとともに枠当接部９２が室内壁部１２１ｅ、１２２ｅ、１２３ｅに当接されてビス止めされると、躯体固定板部９３の外側面９３ａが改装上枠１２１、改装下枠１２２、改装縦枠１２３の各外方面とほぼ平坦な面を形成し、対向板部９４は、改装枠２０の内外方向に間隔を隔てて額縁対向部１２１ｎ、１２２ｎ、１２３ｎと対向する。
【００８２】
第２実施形態の改装サッシユニット１０１の取付方法は、図３に示すように、既設上枠５１に上枠接合部材３５を取り付ける既設枠側接合部材取付工程Ｓ１と、改装枠２０に下枠接合部材１３６を取り付ける改装枠側接合部材取付工程Ｓ２とが独立して実行され、その後、下枠接合部材１３６が取り付けられた改装枠１２０の下部を上部より先行させて既設枠５０内に進入させた後に上部を室内側から室外側に移動させて上枠接合部材３５が取り付けられた既設上枠５１と既設下枠５２との間に配置する改装枠配置工程Ｓ３を実行する。
【００８３】
より具体的には、まず、改装枠１２０を矩形状に枠組みし、改装下枠１２２に下枠接合部材１３６を取り付け（改装枠側接合部材取付工程Ｓ２）、また、改装上枠１２１、改装下枠１２２、改装縦枠１２３に固定金具９０をそれぞれ取り付ける。このとき、下枠接合部材１３６の室外側固定部１３６ｇの上部側と、改装下枠１２２の凹部１２２ｋの下方に延びる脚部１２２ｐとの室外側の面がほぼ平坦な面を形成するように下枠接合部材１３６を配置する。そして、下枠接合部材１３６の延出部１３６ｆの下方から上方に貫通する皿ビス６５にて改装下枠１２２に下枠接合部材１３６を固定する。改装下枠１２２と下枠接合部材１３６との境界部分には、室外側から水密材８６を充填する。また、改装上枠１２１、改装下枠１２２、改装縦枠１２３の係合凹部１２１ｍ、１２２ｍ、１２３ｍに固定金具９０の係合片９１を係合させるとともに、室内壁部１２１ｅ、１２２ｅ、１２３ｅに当接された枠当接部９２にビス９５を貫通させて固定金具９０を固定する。
【００８４】
改装枠１２０に下枠接合部材１３６及び４つの固定金具９０が取り付けられた状態では、改装上枠１２１の上面（外周面）１２１ｑより上方に突出する部位はなく、また、左の改装縦枠１２３の左側外周面１２３ｑより左側及び右の改装縦枠１２３の右側外周面１２３ｒより右側に突出する部位はない。このため、下枠接合部材１３６及び４つの固定金具９０が取り付けられた改装枠１２０の見付け方向の最大幅は、左右の改装縦枠１２３の左側外周面１２３ｑと右側外周面１２３ｒとのなす幅である。この左右の改装縦枠１２３の左側外周面１２３ｑと右側外周面１２３ｒとのなす幅は、左右の既設縦枠５３間における見付け方向の最も狭い部位の間隔より狭くなっている。
【００８５】
一方、既設上枠５１には、第１実施形態と同様に、上枠接合部材固定金具４０を取り付け、さらに上枠接合部材３５を取り付けておく（既設枠側接合部材取付工程Ｓ１）。すなわち、上枠接合部材固定金具４０を既設上枠５１の下方から室外側のレール当接部４０ａの上面に既設外上レール５１ｂの下縁を当接させて配置し、室内側に臨むように配置された室外側延出部４０ｃに皿ビス６５を貫通さて既設外上レール５１ｂに螺合させる。
【００８６】
次に、既設上枠５１に取り付けられた上枠接合部材固定金具４０の下方から上枠接合部材３５を配置して皿ビス６５、６７にて固定する。また、既設下枠５２の既設外下レール５２ａには、見付け方向に適宜間隔を隔てて例えば３カ所に下枠ブラケット３９を取り付けておく。
【００８７】
次に、下枠接合部材１３６及び４つの固定金具９０が取り付けられた改装枠１２０を、上枠接合部材３５及び下枠ブラケット３９が取り付けられた既設枠５０の内周側に室内側から配置する（改装枠配置工程Ｓ３）。具体的には、下枠接合部材１３６及び４つの固定金具９０が取り付けられた改装枠１２０の下部が室外側に、上部が室内側に位置するように改装枠１２０を傾斜させた状態で、上枠接合部材３５及び下枠ブラケット３９が取り付けられた既設上枠５１と既設下枠５２との間に移動させる。そして、第１実施形態の改装枠２０と同様に、改装枠１２０に取り付けられた下枠接合部材１３６を既設下枠５２に取り付けられた下枠ブラケット３９の上方近傍に位置させて、改装枠１２０の上部を室内側から室外側に移動させ、改装枠１２０を既設枠５０の内周側に配置する。このとき、下枠接合部材１３６は既設内下レール５２ａに載置され、改装上枠２１の上面と上枠接合部材３５の下面とが対向する。
【００８８】
そして、改装上枠１２１の凹部１２１ｋの上方に延びる脚部１２１ｐの室外側の面を改装上枠当接部３５ｃに押圧し改装上枠当接片３５ｅの下端側に設けられた水密材３４を圧縮させた状態で、固定金具９０の躯体固定板部９３を窓台３ｂまで至る皿ビス６８にて固定する。また、改装枠１２０の枠側嵌合溝１２２ｌから挿入させたビス９７を、中空部１２１ｃを貫通させるとともに上枠接合部材３５の上枠固定板部３５ａに螺合させる。このとき、改装縦枠１２３の枠側嵌合溝１２３ｌから挿入させたビス９７を、中空部１２３ｃを貫通させるとともに左右の既設縦枠５３の既設縦枠本体部５３ｂに螺合させる。
【００８９】
また、下枠接合部材１３６及び４つの固定金具９０が取り付けられた改装枠１２０が既設枠５０の内側に配置された状態で、下枠ブラケット３９の網戸レール室内壁部３９ｂとの間に既設網戸下レール５２ｃを挟むように配置されている下枠接合部材１３６の室外側固定部１３６ｇを、開口を利用して室内側からの作業により網戸レール室内壁部３９ｂにビス止めする。このとき、下枠接合部材１３６及び４つの固定金具９０が取り付けられた改装枠２０と既設額縁３０、上枠接合部材３５、下枠接合部材１３６及び既設縦枠本体部５３ｂとの間に空隙が生じる場合には適宜飼木７０を備えた後にビス止めする。
【００９０】
次に、縦枠カバー部材４５を室外側から改装縦枠１２３の脚部１２３ｐに当接させるとともにビス止めし、改装縦枠１２３と既設縦枠５３との間を覆う。ここで、縦枠カバー部材４５は室外側から改装縦枠１２３に当接させるが、作業者は、移動障子１１２ａ及びＦＩＸ障子１１２ｂが取り付けられていない改装枠１２０の内側の開口を利用して室内側から施工する。
【００９１】
最後に、既設額縁３０の内側に下地材６２を備え、下地材６２の内側に改装額縁１６０を配置して固定する。このとき、矩形状に枠組みした改装額縁１６０の室外側の端部を、改装上枠１２１、改装下枠１２２、改装縦枠１２３が有する額縁対向部１２１ｎ、１２２ｎ、１２３ｎと、対向する各対向板部９４との間に嵌合して固定する。
【００９２】
第２実施形態の改装サッシユニット１０１によれば、改装枠１２０が取り付けられる際には、下枠接合部材１３６及び４つの固定金具９０が改装枠１２０に取り付けられ、上枠接合部材３５が既設枠５０に取り付けられている。そして、上枠接合部材３５が取り付けられた既設上枠５１と既設下枠５２との間にて、下枠接合部材１３６及び４つの固定金具９０が取り付けられた改装枠１２０の上部を室内側から室外側に移動すると、改装上枠１２１の水平面をなす上面と上枠接合部材３５の下面とが対向し、対向した改装上枠１２１の上面と上枠接合部材３５の下面とが固定される。このため、下枠接合部材３６及び４つの固定金具９０が取り付けられた改装枠１２０は、室内側からの作業により既設上枠５１と既設下枠５２との間に配置することが可能であり、また、既設枠５０に取り付けることが可能である。よって、室外側から取り付けるための足場を組む必要がなく、改装サッシ１１０を既設枠５０に室内側から容易に取り付けることが可能である。
【００９３】
また、上枠接合部材３５は、既設上枠５１の下方を覆い改装上枠１２１が固定される上枠固定板部３５ａが平坦な下面をなしているので、改装上枠１２１を室内側から室外側に移動させる際にスムーズに移動させることが可能である。また、上枠接合部材３５には、上枠固定板部３５ａの室外側の端部側に上方に突出されて既設上枠５１に室内側から当接される既設上枠当接部３５ｂと、上枠固定板部３５ａの室外側の縁から下方に突出されて改装上枠１２１が室内側から当接される改装上枠当接部３５ｃとが設けられているので、改装枠１２０の上部を室内側から室外側に移動させて、既設枠５０に取り付けられた上枠接合部材３５の改装上枠当接部３５ｃに当接させるだけで、改装枠１２０を適切な位置に配置することが可能である。このため、より取り付け易い改装サッシユニット１０１を提供することが可能である。
【００９４】
このような改装サッシユニット１０１は、改装枠１２０の上部を室内側から室外側に移動させて既設枠５０に取り付けるので、既設上枠５１に取り付けられた上枠接合部材３５と、既設下枠５２との間隔は広い方が望ましく、また、上枠接合部材３５の下面は平坦であることが望ましい。この点において、上記改装サッシユニット１０１は、上枠接合部材３５の上枠固定板部３５ａが、既設上枠５１が有する既設内上レール５１ａ及び既設外上レール５１ｂの下縁に当接されて下面が平坦なので、上枠接合部材３５と既設下枠５２との間隔を広く確保することが可能である。
【００９５】
また、第２実施形態の改装サッシユニット１０１の取付方法によれば、上枠接合部材３５が取り付けられた既設上枠５１と既設下枠５２との間にて、下枠接合部材１３６及び４つの固定金具９０が取り付けられた改装枠１２０の上部を室内側から室外側に移動させることにより、改装上枠１２１の上面と上枠接合部材３５の下面とを対向させることが可能である。このため、下枠接合部材１３６及び４つの固定金具９０が取り付けられた改装枠１２０を、室内側からの作業により既設上枠５１と既設下枠５２との間に容易に配置することが可能であり、また、既設枠５０に容易に取り付けることが可能である。よって、室外側から取り付けるための足場を組むことなく、改装サッシユニット１０１を既設枠５０に室内側から容易に取り付けることが可能である。
【００９６】
第２実施形態では、改装サッシユニット１０１が備える改装サッシ１１０を移動障子１１２ａとＦＩＸ障子１１２ｂとを有する片引き窓タイプのサッシを例に挙げて説明したが、第１実施形態のような引き違い窓用のサッシであっても構わない。また、第２実施形態では、改装サッシを樹脂製としたが、施工場所によっては断熱性を考慮する必要があるもののアルミニウム製であっても構わない。
【００９７】
上記実施形態においては、半外付けタイプの既設枠５０に取り付ける改装サッシユニット１、１０１について説明したが、内付けタイプの既設枠５０に取り付ける場合には、既設上枠と上枠接合部材の上方に躯体が見付け方向のほぼ全域に存在するので、上枠接合部材をレールに固定する必要がなく、直接躯体に取り付けることが可能である。このため、内付けタイプの既設枠５０に取り付ける場合には、上枠接合部材固定金具４０を用いることなく、既設枠のレール間にて既設枠を貫通するビスにて上枠接合部材を躯体にビス止めする。
【００９８】
上記実施形態にて説明した下枠接合部材３６、上枠接合部材固定金具４０、及び、改装上枠２１と改装下枠２２に取り付けられる固定金具９０は、見付け方向における全領域に設けられていても良いが、見付け方向の幅が短い各部材を複数設けても良い。また、縦枠接合部材３７、及び、改装縦枠２３に取り付けられる固定金具９０は、上下方向における全領域に設けられていても良いが、上下方向の幅が短い各部材を複数設けても良い。
【００９９】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【０１００】
１  改装サッシユニット、２  開口、１０  改装サッシ、２０  改装枠、
２１  改装上枠、２２  改装下枠、２３  改装縦枠、３５  上枠接合部材、
３５ａ  上枠固定板部、３５ｂ  既設上枠当接部、３５ｃ  改装上枠当接部、
３６  下枠接合部材、４０  上枠接合部材固定金具、４０ａ  レール当接部、
４０ｂ  連結部、４０ｃ  室外側延出部、４０ｄ  室内側延出部、５０  既設枠、
５１  既設上枠、５１ａ  既設内上レール、５１ｂ  既設外上レール、
５２  既設下枠、５３  既設縦枠、１０１  改装サッシユニット、
１１０  改装サッシ、１２０  改装枠、１２１  改装上枠、１２２  改装下枠、
１２３  改装縦枠、１３６  下枠接合部材
【図１】
2011196101.tif 000003
【図２】
2011196101.tif 000004
【図３】
2011196101.tif 000005
【図４】
2011196101.tif 000006
【図５】
2011196101.tif 000007
【図６】
2011196101.tif 000008
【図７】
2011196101.tif 000009